(57)【特許請求の範囲】
【請求項１】
第１紙の第１原反から第１短形紙に切断する第１の切断手段と、第２紙の第２原反から第２短形紙に切断する第２の切断手段と、対峙して相対回転するように配した折り重ねロールに上記第１短形紙と上記第２短形紙とを上記折り重ねロールの流れ方向にずらして重ね合わせて導入し、上記折り重ねロールの流れ方向に上記第１短形紙と上記第２短形紙とに夫々腰折りを施して右向き腰折紙と左向き腰折紙とを形成し、上記各右向き腰折紙（又は左向き腰折紙）の下部折片の内面に上記各左向き腰折紙（又は上記右向き腰折紙）の上部折片の内面が重なる状態に相の手に組む手段とを備えた多重腰折紙の形成装置において、
上記第１原反の後段であって上記第１の切断手段の前段に位置し、上記第１紙の後縁部（又は前縁部）を腰折方向に対して垂直方向に折り返して後縁重畳部（又は前縁重畳部）を形成する第１の折り手段と、
上記第２原反の後段であって上記第２の切断手段の前段に位置し、上記第２紙の前縁部（又は後縁部）を腰折方向に対して垂直方向に折り返して前縁重畳部（又は後縁重畳部）を形成する第２の折り手段とを備え、
上記第１の折り手段及び上記第１原反の位置と、上記第２の折り手段及び上記第２原反の位置とを腰折方向に対して垂直方向の上記後縁重畳部と上記前縁重畳部とが遠ざかる向きにずらした構成とすることを特徴とする連続取り出しに供する多重腰折紙の形成装置。
【請求項２】
第１紙の第１原反から第１スリッタを介してスリットする第１のスリット手段と、第２紙の第２原反から第２スリッタを介してスリットする第２のスリット手段と、上記第１のスリット手段によりスリットされた第１紙を第１短形紙に切断する第１の切断手段と、上記第２のスリット手段によりスリットされた第２紙を第２短形紙に切断する第２の切断手段と、対峙して相対回転するように配した折り重ねロールに上記第１短形紙と上記第２短形紙とを上記折り重ねロールの流れ方向にずらして重ね合わせて導入し、上記折り重ねロールの流れ方向に上記第１短形紙と上記第２短形紙とに夫々腰折りを施して右向き腰折紙と左向き腰折紙とを形成し、上記各右向き腰折紙（又は左向き腰折紙）の下部折片の内面に上記各左向き腰折紙（又は上記右向き腰折紙）の上部折片の内面が重なる状態に相の手に組む手段とを備えた多重腰折紙の形成装置において、
上記第１のスリット手段の後段であって上記第１の切断手段の前段に位置し、上記第１紙の後縁部（又は前縁部）を腰折方向に対して垂直方向に折り返して後縁重畳部（又は前縁重畳部）を形成する第１の折り手段と、
上記第２のスリット手段の後段であって上記第２の切断手段の前段に位置し、上記第２紙の前縁部（又は後縁部）を腰折方向に対して垂直方向に折り返して前縁重畳部（又は後縁重畳部）を形成する第２の折り手段とを備え、
上記第１の折り手段及び上記第１のスリット手段の位置と、上記第２の折り手段及び上記第２のスリット手段の位置とを腰折方向に対して垂直方向の上記後縁重畳部と上記前縁重畳部とが遠ざかる向きにずらした構成とすることを特徴とする連続取り出しに供する多重腰折紙の形成装置。
【発明の詳細な説明】
【技術分野】
【０００１】
本発明は、ウェットティシュー等の多重腰折紙を容器に収容し、容器に設けた取出口より各腰折紙を順次連続して取出し得るようにした連続取出しに供する多重腰折紙の形成装置に関する。
【背景技術】
【０００２】
ウエットティシュー，乾ティシュー，ペーパタオル等の多重腰折紙は容器内に収容し、容器に設けた取出口より順次取出し得るようにしており、この多重腰折紙としては図１６乃至図２１に示すものが知られている。これらの多重腰折紙は何れも、各右向き腰折紙１０１（又は左向き腰折紙１０２）の下部折片１０１ａ（又は１０２ａ）と各左向き腰折紙１０２（又は右向き腰折紙１０１）の上部折片１０２ｂ（又は１０１ｂ）とを相の手に組んで多重腰折紙を形成し、この多重腰折紙を容器１０３内に収容しその天板に設けた取出口１０３ａより最上位の腰折紙１０１又は１０２の上部折片１０１ｂ又は１０２ｂを引き出すことにより上記相の手組部において摩擦係合する下位の腰折紙の上部折片１０１ｂ又は１０２ｂの遊離端を上記取出口１０３ａより誘出させ連続取出しが行なえるようにした構成を採用している点で共通している。
【０００３】
而して、図１６，図１７に示した多重腰折紙は当初より最も普遍的に用いられてきているが、図１６に示す多重腰折紙１０４は定寸法の腰折紙を二つ折りして略二分の一の折片が他の折片と相の手に組まれるようにした構成なので、容器１０３の取出口１０３ａからは腰折紙１０１又は１０２の略二分の一の折片が誘出される。
【０００４】
また、図１７に示す多重腰折紙１０４は定寸法の各腰折紙１０１，１０２をＺ形に腰折し下端の折片を他の腰折紙の折片と相の手に組む構成なので、容器１０３の取出口１０３ａからは腰折紙１０１，１０２の略三分の一の折片が誘出される。
【０００５】
上記のように、図１６，図１７に示す多重腰折紙１０４は何れも定長の腰折紙１０１，１０２の略二分の一乃至三分の一が取出口１０３ａより外方へ誘出され、誘出長が長過ぎ美感を損なうとの指摘がなされている。
【０００６】
殊に多重腰折紙４が薬液等を湿潤したウェットティシューである場合には、各腰折紙の折片がその端末から相当の長さに亘って薬液により接着するので、取出口１０３ａより取り出そうとする腰折紙に次に続く腰折紙の全体が友連れされて取出されてしまう欠点を有する。
【０００７】
加えて、ウェットティシューである場合には容器の取出し口から誘出された部分が乾いてしまいその効用を喪失するので、上記誘出長はできるだけ短かくすることが望まれるが、図１６，図１７の場合には上記誘出長が長過ぎる欠点を有する。上記二つの理由から図１６，図１７の例はウェットティシューには実施困難であり加えて美感を損なう問題点を有している。
【０００８】
また、図１８Ａ，図１９Ａに示すように、上記Ｚ形に腰折りした各腰折紙１０１，１０２の腰折位置を調整することにより各腰折紙の端部折片間の相の手組部の寸法をできるだけ短縮する方法が思考されているが、図１８Ａの場合には相の手組部が、図１８Ｂに示すように多重腰折紙１０４の左半部又は右半部の一方に偏在するため一方が嵩高になってしまう欠点を有している。
【０００９】
また、図１９Ａの場合には相の手組部が、図１９Ｂに示すように多重腰折紙１０４の中間部に集中し膨らみを生ずる欠点を有している。したがって、図１８又は図１９の何れの場合も、複数の多重腰折紙１０４を積上げた場合には荷崩れを生じがちであり、又局部が嵩高になり商品性を損なう問題を有している。
【００１０】
次に、図２０に示すように、上記多重腰折紙１０４が極部的に嵩高になるのを防止せんとして、二つ折りにした各腰折紙１０１，１０２の腰折位置を調整することにより各腰折紙の端部折片の相の手組部が多重腰折紙の左半部と右半部に按分されるようにした例が思考されている。
【００１１】
しかしながら、この方法は多重腰折紙の局部が嵩高になる欠点を防止できるが、二つ折りした各腰折紙１０１，１０２の上部折片１０１ｂ，１０２ｂの巾が下部折片１０１ａ，１０２ａを短縮した分だけ長くなり、結果として容器の巾が図１６の場合よりも大巾に長くなってしまい、実施し難い問題を有している。
【００１２】
また、図２０の場合には、摘出に供される各腰折紙１０１，１０２の上部折片１０１ｂ，１０２ｂの誘出長が、図１７の場合と同様腰折紙の略三分の一に達する問題を内在している。
【００１３】
このような問題を解決する多重腰折紙として、図２１に示す技術が知られている（特許文献１を参照。）。この多重腰折ウェットティシュー１１４は、各右向き腰折ウェットティシュー１１１と左向き腰折ウェットティシュー１１２とを相の手に組んで多重腰折ウェットティシュー１１４を形成し、この多重腰折ウェットティシュー１１４を容器１１３内に収容して上部接片１１１ｂ，１１２ｂを摘出し連続取出しを行なうようにする場合に、上記各右向きと左向き腰折ウェットティシュー１１１，１１２の下部折片１１１ａ，１１２ａの遊離端側を各腰折紙の腰折り方向とは逆方向に折り返して短巾の重畳端１１１ｃ，１１２ｃを形成し、上記各右向き腰折ウェットティシュー１１１の短巾重畳端１１１ｃと各左向き腰折ウェットティシュー１１２の短巾重畳端１１２ｃとを下位の腰折ウェットティシューの上部折片１１１ｂ，１１２ｂの遊離端側と相の手に組むようにし、上記右向き腰折ウェットティシュー１１１の短巾重畳端１１１ｃと左向き腰折ウェットティシュー１１２の短巾重畳端１１２ｃとが多重腰折ウェットティシュー１１４の左側と右側に按分されるように構成したものである。
【００１４】
この多重腰折ウェットティシュー１１４によれば、各上位腰折ウェットティシュー１１１，１１２の下部折片１１１ａ，１１２ａの上記短巾重畳端１１１ｃ，１１２ｃと各下位腰折ウェットティシューの上部折片１１１ｂ，１１２ｂとによる相の手組部の寸法を腰折ウェットティシュー１１１，１１２の展開長の略四分の一に縮小でき、この結果、相の手組部における摩擦係合によって容器１１３の取出口１１３ａから誘出される各腰折ウェットティシュー１１１，１１２の上部折片１１１ｂ，１１２ｂの寸法は最大上記略四分の一の寸法に短縮できる。
【００１５】
したがって、この多重腰折ウェットティシュー１１４によれば、上位腰折ウェットティシュー１０１，１０２の下部折片１０１ａ，１０２ａの全巾と下位腰折ウェットティシュー１０１，１０２の上部折片１０１ｂ，１０２ｂの全巾とが液により接着して下位腰折ウェットティシュー１０１，１０２全体又は同下位ウェットティシュー１０１，１０２の上部折片１０１ｂ，１０２ｂを容器１０３の取出口１０３ａより過度に引き出してしまう不具合を解消できる。
【００１６】
また、この多重腰折ウェットティシュー１１４によれば、上記相の手組部を多重腰折ウェットティシュー１１４の左側と右側に略均等に按分することができるので、多重腰折ウェットティシュー１１４の局部を嵩高にする問題も併せて解消できる。
【特許文献１】特開平７−２１３４５３号公報
【特許文献２】特開平８−１８８３３１号公報
【特許文献３】特開平５−２６９０５１号公報
【特許文献４】特公昭６３−６３２１６号公報
【特許文献５】実開昭５７−１２４２９７号公報
【特許文献６】特開昭５９−１９４７２３号公報
【特許文献７】実開昭５７−１２３７７３号公報
【特許文献８】実開平２−２５４４３号公報
【特許文献９】実開平５−７０３８８号公報
【特許文献１０】実開昭６３−１８６６８９号公報
【発明の開示】
【発明が解決しようとする課題】
【００１７】
ところで、通常、ウェットティシュー等の多重腰折紙の容器には取出口を密閉する蓋材が剥離可能に貼着されており、ユーザは、腰折紙の取出し時には、蓋材を剥がして取出口を露出させ、収納されている最上位の腰折紙の上部折片を摘んで取り出し、腰折紙の連続取出し後には、腰折紙の乾燥を防ぐため、摘出されている上記上部折片を容器内に収納し、蓋材を再度貼着して取出口を密閉する。
【００１８】
しかしながら、従来の多重腰折ウェットティシュー１１４は、各上位腰折ウェットティシュー１１１，１１２の下部折片１１１ａ，１１２ａの上記短巾重畳端１１１ｃ，１１２ｃと各下位腰折ウェットティシューの上部折片１１１ｂ，１１２ｂとを腰折方向に対して垂直方向にずらすことなく多重ねして相の手組部を形成しているため、下位腰折ウェットティシュー１１１，１１２の上部折片１１１ｂ，１１２ｂの遊離端が容器１１３の取出口１１３ａから腰折方向に対して垂直方向に全巾で誘出される。
【００１９】
また、従来の多重腰折ウェットティシュー１１４は、各下位腰折ウェットティシュー１１１，１１２の上部折片１１１ｂ，１１２ｂの末端が各腰折ウェットティシュー１１１，１１２の腰折線Ｓ１に揃うように多重ねされている。
【００２０】
さらに、通常、多重腰折ウェットティシュー１１４の乾燥を可及的に回避するとともに薬液等によって接着した各腰折ウェットティシュー１１１，１１２が友連れされて取り出されることを防止するため、多重腰折ウェットティシュー１１４の容器１１３の上面部中心に設けられた取出口１１３ａは、乾式ティシューペーパ等の場合と比較してより小さなものとなっている。
【００２１】
而して、従来の多重腰折ウェットティシュー１１４は、上述した構造的な理由に起因して次のような問題を有している。上述のとおり、上記上部折片１１１ｂ，１１２ｂの遊離端は、容器１１３の上面部中心に設けられた小さな取出口１１３ａを介して腰折方向に対して垂直方向に全巾で誘出されるため、皺が幾重にも寄った状態にならざるを得ない。このため、ユーザは、摘出された状態にある上記上部折片１１１ｂ，１１２ｂの皺を伸ばした後、上記上部折片１１１ｂ，１１２ｂの末端が各腰折ウェットティシュー１１１，１１２の腰折線Ｓ１のところまで達するように小さな取出口１１３ａを介して重ね合わせるか、或いは、取出口１１３ａの付近に上記上部折片１１１ｂ，１１２ｂを皺が幾重にも寄った状態のまま無理矢理折固めるようにして容器１１３に収納することになる。
【００２２】
前者の場合には、ユーザの手を煩わせるとともに、ユーザの手を介して上記上部折片１１１ｂ，１１２ｂに雑菌等が付着し易く、上記上部折片１１１ｂ，１１２ｂの末端が容器１１３内の端にくるため、次回に、腰折ウェットティシュー１１１，１１２を取り出し難くなるという欠点がある。一方、後者の場合には、取出口１１３ａの付近が嵩高になり、美感を損なうことに加えて、比較的軟質な材料からなる容器に皺が寄り容器１１３の密閉性を保ち難くなるため、多重腰折ウェットティシュー１１４が乾燥し易くなるという欠点がある。すなわち、従来の多重腰折ウェットティシュー１１４は、収納されている最上位の腰折ウェットティシュー１１１，１１２の上部折片１１１ｂ，１１２ｂを取出口１１３ａから摘出し難く、摘出された状態にある上記上部折片１１１ｂ，１１２ｂを容器１１３内に収納し難いという問題を有している。
【００２３】
また、従来の多重腰折ウェットティシュー１１４は次のような問題を有している。従来の多重腰折ウェットティシュー１１４は、理論上、上記相の手組部の寸法を縮小しながら、上記相の手組部を多重腰折ウェットティシュー１１４の左側と右側に略均等に按分することは可能であるが、上記相の手組部の縮小巾が大きいと図１９に示した例とは逆に多重腰折ウェットティシュー１１４の両端部が嵩高になるという欠点がある。すなわち、従来の多重腰折ウェットティシュー１１４は、両端部が嵩高になり商品性を損なわないためには、実用上、ウェットティシューの材質や薬液等の種類・量に応じて上記相の手組部の寸法を大きく変更することができないという問題を有している。
【００２４】
そこで、本発明が解決しようとする課題は、多重腰折紙における各腰折紙の上部折片の誘出長を従来よりも効果的に短縮するとともに、収納されている最上位の腰折紙の上部折片を取出口から容易に摘出でき、摘出された状態にある上記上部折片を容器内に収納し易くでき、実用上、腰折紙の材質や薬液等の種類・量に応じて各腰折紙間の相の手組部の寸法を大きく変更することができる多重腰折紙の形成装置を提供することである。
【課題を解決するための手段】
【００２５】
本発明は、上記課題を解決するためになされたもので、請求項１に記載の発明は、第１紙の第１原反から第１短形紙に切断する第１の切断手段と、第２紙の第２原反から第２短形紙に切断する第２の切断手段と、対峙して相対回転するように配した折り重ねロールに上記第１短形紙と上記第２短形紙とを上記折り重ねロールの流れ方向にずらして重ね合わせて導入し、上記折り重ねロールの流れ方向に上記第１短形紙と上記第２短形紙とに夫々腰折りを施して右向き腰折紙と左向き腰折紙とを形成し、上記各右向き腰折紙（又は左向き腰折紙）の下部折片の内面に上記各左向き腰折紙（又は上記右向き腰折紙）の上部折片の内面が重なる状態に相の手に組む手段とを備えた多重腰折紙の形成装置において、上記第１原反の後段であって上記第１の切断手段の前段に位置し、上記第１紙の後縁部（又は前縁部）を腰折方向に対して垂直方向に折り返して後縁重畳部（又は前縁重畳部）を形成する第１の折り手段と、上記第２原反の後段であって上記第２の切断手段の前段に位置し、上記第２紙の前縁部（又は後縁部）を腰折方向に対して垂直方向に折り返して前縁重畳部（又は後縁重畳部）を形成する第２の折り手段とを備え、上記第１の折り手段及び上記第１原反の位置と、上記第２の折り手段及び上記第２原反の位置とを腰折方向に対して垂直方向の上記後縁重畳部と上記前縁重畳部とが遠ざかる向きにずらした構成とすることを特徴としている。
【００２６】
また、請求項２に記載の発明は、第１紙の第１原反から第１スリッタを介してスリットする第１のスリット手段と、第２紙の第２原反から第２スリッタを介してスリットする第２のスリット手段と、上記第１のスリット手段によりスリットされた第１紙を第１短形紙に切断する第１の切断手段と、上記第２のスリット手段によりスリットされた第２紙を第２短形紙に切断する第２の切断手段と、対峙して相対回転するように配した折り重ねロールに上記第１短形紙と上記第２短形紙とを上記折り重ねロールの流れ方向にずらして重ね合わせて導入し、上記折り重ねロールの流れ方向に上記第１短形紙と上記第２短形紙とに夫々腰折りを施して右向き腰折紙と左向き腰折紙とを形成し、上記各右向き腰折紙（又は左向き腰折紙）の下部折片の内面に上記各左向き腰折紙（又は上記右向き腰折紙）の上部折片の内面が重なる状態に相の手に組む手段とを備えた多重腰折紙の形成装置において、上記第１のスリット手段の後段であって上記第１の切断手段の前段に位置し、上記第１紙の後縁部（又は前縁部）を腰折方向に対して垂直方向に折り返して後縁重畳部（又は前縁重畳部）を形成する第１の折り手段と、上記第２のスリット手段の後段であって上記第２の切断手段の前段に位置し、上記第２紙の前縁部（又は後縁部）を腰折方向に対して垂直方向に折り返して前縁重畳部（又は後縁重畳部）を形成する第２の折り手段とを備え、上記第１の折り手段及び上記第１のスリット手段の位置と、上記第２の折り手段及び上記第２のスリット手段の位置とを腰折方向に対して垂直方向の上記後縁重畳部と上記前縁重畳部とが遠ざかる向きにずらした構成とすることを特徴としている。
【発明の効果】
【００２７】
本発明によれば、多重腰折紙における各腰折紙の上部折片の誘出長を従来よりも効果的に短縮するとともに、収納されている最上位の腰折紙の上部折片を取出口から容易に摘出でき、摘出された状態にある上記上部折片を容器内に収納し易くでき、実用上、腰折紙の材質や薬液等の種類・量に応じて各腰折紙間の相の手組部の寸法を大きく変更することができる多重腰折紙の形成装置を提供することができる。
【発明を実施するための最良の形態】
【００２８】
以下、本発明によって形成される多重腰折紙について説明し、次いでその形成装置について説明する。
【００２９】
１．多重腰折紙
先ず、図１乃至図５を参照して、多重腰折紙１の構成について説明する。本発明によって生産される第１乃至第３実施例に係る多重腰折紙１は、図１又は図２に示すように、右向き腰折紙１１と左向き腰折紙１２とからなり、各右向き腰折紙１１（又は左向き腰折紙１２）の下部折片１１ａ（又は１２ａ）と、各左向き腰折紙１２（又は右向き腰折紙１１）の上部折片１２ｂ（又は１１ｂ）とを相の手に組んで多重ねにしている。
【００３０】
換言すると、各右向き腰折紙１１（又は各左向き腰折紙１２）の下部折片１１ａ（又は１２ａ）の内面に各左向き腰折紙１２（又は各右向き腰折紙１１）の上部折片１２ｂ（又は１１ｂ）の内面が重なるように交叉掛けにする。この重なった部分を相の手組部１５と称する。
【００３１】
ここで、右向き腰折紙１１とは左側に腰折り用の腰折線Ｓ１を有して右オープンとなされた腰折紙を意味し、左向き腰折紙１２とは左側に腰折り用の腰折線Ｓ１を有して左オープンとなされた腰折紙を意味する。また、紙とは、乾式紙や乾式紙状のものの他、ウェットティシューやウェットタオル等の湿潤紙又は湿潤紙状のものを含んでいる。なお、相の手組部１５の組み方は、各右向き腰折紙１１の下部折片１１ａと、各左向き腰折紙１２の上部折片１２ｂとを相の手に組む場合と、各左向き腰折紙１２の下部折片１２ａと、各右向き腰折紙１１の上部折片１１ｂとを相の手に組む場合との２通りあるが、便宜上後者の場合の図示を省略している。
【００３２】
また、第１及び第３実施例は、図３に示すように、上記各右向き腰折紙１１の後縁部１１ｃを腰折方向に対して垂直方向に折り返してなる後縁重畳部１６と、上記各左向き腰折紙１２の前縁部１２ｄを腰折方向に対して垂直方向に折り返してなる前縁重畳部１７とを備えている。
【００３３】
また、第２実施例は、図４に示すように、上記各右向き腰折紙１１の前縁部１１ｄを腰折方向に対して垂直方向に折り返してなる前縁重畳部１７と、上記各左向き腰折紙１２の後縁部１２ｃを腰折方向に対して垂直方向に折り返してなる後縁重畳部１６とを備えている。図４に示す第２実施例は、図３に示す第１及び第３実施例と各腰折紙１１，１２の腰折方向に平行な軸を対称軸とする線対称の関係にある。
【００３４】
また、第１乃至第３実施例は、図１又は図２に示すように、上記各右向き腰折紙１１と上記各左向き腰折紙１２とを腰折方向に対して垂直方向の上記後縁重畳部１６と上記前縁重畳部１７とが遠ざかる向きにずらした構成とする。
【００３５】
上記各右向き腰折紙１１と上記各左向き腰折紙１２との腰折方向に対して垂直方向へのずらし巾は、腰折紙の材質や薬液等の種類・量に応じて決めることができる。上記相の手組部１５における、各右向き腰折紙１１（又は各左向き腰折紙１２）の下部折片１１ａ（又は１２ａ）（以下、組部下部折片１１ｅ（又は１２ｅ）という。）と各左向き腰折紙１２（又は各右向き腰折紙１１）の上部折片１２ｂ（又は１１ｂ）（以下、組部上部折片１２ｆ（又は１１ｆ）という。）との接着の程度が強い場合には、容器１３の取出口１３ａから腰折紙が友連れされて取り出されることを回避するため、腰折方向に対して垂直方向へのずらし巾を大きくして上記相の手組部１５の面積を小さくし、多重腰折紙１が局部的に嵩高とならないように、後縁部１１ｃ（又は前縁部１１ｄ）及び前縁部１２ｄ（又は後縁部１２ｃ）の腰折方向に対して垂直方向の寸法を大きくして上記前縁重畳部１７及び上記後縁重畳部１６の折巾を大きくする。
【００３６】
一方、上記相の手組部１５における、各右向き腰折紙１１（又は各左向き腰折紙１２）の組部下部折片１１ｅ（又は１２ｅ）と各左向き腰折紙１２（又は各右向き腰折紙１１）の組部上部折片１２ｆ（又は１１ｆ）との接着の程度が弱い場合には、容器１３の取出口１３ａから各腰折紙１１，１２を連続的に取り出せるように、腰折方向に対して垂直方向へのずらし巾を小さくして上記相の手組部１５の面積を大きくし、多重腰折紙１が局部的に嵩高とならないように、後縁部１１ｃ（又は前縁部１１ｄ）及び前縁部１２ｄ（又は後縁部１２ｃ）の腰折方向に対して垂直方向の寸法を小さくして上記前縁重畳部１７及び上記後縁重畳部１６の折巾を小さくする。
【００３７】
第１実施例は、図３に示すように、腰折方向に対して垂直方向へのずらし巾を二分の一としている。この場合、上記相の手組部１５の面積は各腰折紙１１，１２の面積の四分の一の面積となる。ここで、上記相の手組部１５が上記前縁重畳部１７又は上記後縁重畳部１６の何れとも重ならないようにするには、後縁部１１ｃ（又は前縁部１１ｄ）及び前縁部１２ｄ（又は後縁部１２ｃ）並びに上記前縁重畳部１７及び上記後縁重畳部１６の腰折方向に対して垂直方向の寸法は各腰折紙の腰折方向に対して垂直方向の寸法の四分の一以下とする。
【００３８】
また、第３実施例では、図５に示すように、腰折方向に対して垂直方向へのずらし巾を三分の二としている。この場合、上記相の手組部１５の面積は各腰折紙１１，１２の面積の六分の一の面積となる。ここで、上記相の手組部１５が上記前縁重畳部１７又は上記後縁重畳部１６の何れとも重ならないようにするには、後縁部１１ｃ（又は前縁部１１ｄ）及び前縁部１２ｄ（又は後縁部１２ｃ）並びに上記前縁重畳部１７及び上記後縁重畳部１６の腰折方向に対して垂直方向の寸法は各腰折紙の腰折方向に対して垂直方向の寸法の三分の一以下とする。
【００３９】
なお、第１乃至第３実施例は、図１６に示す折構造を腰折方向に適用し、上記後縁重畳部１６を設けた上記各右向き腰折紙１１と上記前縁重畳部１７を設けた上記各左向き腰折紙１２とを腰折方向に対して垂直方向にずらした構成であるが、腰折方向の折構造については、図１６に示す例に限定されない。例えば、図１７や図２１に示す折構造を腰折方向に適用することもできる。図１７に示す折構造を腰折方向に適用し、腰折方向に対して垂直方向へのずらし巾を二分の一とした場合、上記相の手組部１５の面積は各腰折紙１１，１２の面積の六分の一の面積に縮小できる。
【００４０】
２．多重腰折紙の形成装置
続いて、本発明を適用した具体的な実施の形態について、図面を参照しながら詳細に説明する。本発明は、例えば図６又は図７に示すような構成を主要部として備える多重腰折紙１の形成装置５１に適用される。
【００４１】
（１）形成装置５１の構成
先ず、図６及び図７を参照して、多重腰折紙１の形成装置５１の構成の概略について説明する。この形成装置５１は、紙Ａの第１原反（原反５２ａ（図示省略））から第１スリッタ（スリッタ５３ａ）を介してスリットする第１のスリット手段と、紙Ｂの第２原反（原反５２ｂ（図示省略））から第２スリッタ（スリッタ５３ｂ）を介してスリットする第２のスリット手段と、上記第１のスリット手段によりスリットされた紙Ａを第１短形紙（短形紙５４）に切断する第１の切断手段（下刃ロール５６ａ又は下刃付折り重ねロール８７ａ，上刃ロール８０ａ）と、上記第２のスリット手段によりスリットされた紙Ｂを第２短形紙（短形紙５５）に切断する第２の切断手段（下刃ロール５６ｂ又は下刃付折り重ねロール８７ｂ，上刃ロール８０ｂ）と、上記短形紙５４と上記短形紙５５とに夫々腰折りを施して右向き腰折紙１１と左向き腰折紙１２とを形成し、上記各右向き腰折紙１１（又は左向き腰折紙１２）の下部折片１１ａ（又は下部折片１２ａ）と、上記各左向き腰折紙１２（又は上記右向き腰折紙１１）の上部折片１２ｂ（又は上部折片１１ｂ）とを相の手に組む手段（折り重ねロール８４ａ，８４ｂ又は下刃付折り重ねロール８７ａ，８７ｂ）とを主要部として備えている。
【００４２】
また、この形成装置５１は、上記第１のスリット手段の後段であって上記第１の切断手段の前段に位置し、上記紙Ａの後縁部（又は前縁部）を腰折方向に対して垂直方向に折り返して後縁重畳部１６ａ（又は前縁重畳部１７ｂ）を形成する第１の折り手段（折り板５８ａ）と、上記第２のスリット手段の後段であって上記第２の切断手段の前段に位置し、上記紙Ｂの前縁部（又は後縁部）を腰折方向に対して垂直方向に折り返して前縁重畳部１７ｂ（又は後縁重畳部１６ａ）を形成する第２の折り手段（折り板５８ｂ）とを主要部として備え、上記第１の折り手段及び上記第１のスリット手段の位置と、上記第２の折り手段及び上記第２のスリット手段の位置とを腰折方向に対して垂直方向の上記後縁重畳部１６ａと上記前縁重畳部１７ｂとが遠ざかる向きにずらした構成としている。
【００４３】
上記第１及び第２のスリット手段は、該スリット手段の前段及び後段に設けられたロールが長尺巻物の体をなす原反５２ａ（図示省略）及び原反５２ｂ（図示省略）からシート状の紙Ａ，Ｂを巻戻しながら、図６及び図７に示すように左右対称に配されたスリッタ５３ａ及びスリッタ５３ｂが、流れ方向（腰折方向）に沿って設けられた円盤状のスリッター刃によって製品として指定した縦方向巾に夫々連続して切断する。スリッタ５３ａ及びスリッタ５３ｂに設けられた円盤状のスリッター刃は、該スリッタ５３ａ及びスリッタ５３ｂが設置された状態で紙Ａ，Ｂに向かって前後に移動できるようになっており、コンプレッサー（図示省略）から送られるエアーの圧力を調節することでシート状の紙Ａ，Ｂに加える圧力を調整することができるようになっている。
【００４４】
複数台のスリッタ５３ａ及びスリッタ５３ｂは、図８に示すように、流れ方向（腰折方向）に対して垂直方向に折り板５８ａ，５８ｂと同じ巾で等間隔に配置されている。このスリッタ５３ａ及びスリッタ５３ｂの位置については、折り板５８ａ，５８ｂとスリッタ５３ａ，５３ｂとの位置関係の説明のところで詳述する。
【００４５】
次に、上記第１の折り手段及び上記第２の折り手段の構成について説明する。図９に示すように、折り板５８ａは、紙Ａの流れ方向に対して垂直方向にスリッタ間巾を有する（図８参照）下部折畳ボード５９と、該下部折畳ボード５９に固設された上部折畳ボード可動機構６３を介して該下部折畳ボード５９上を紙Ａの流れ方向に対して垂直方向にスライドできるように固定された上部折畳ボード６０とを主要部として備えている。
【００４６】
下部折畳ボード５９は、下部折畳ボード可動機構６２が固設されており、該下部折畳ボード可動機構６２とシャフト６７ａ（図８参照）とを介して紙Ａの流れ方向に対して垂直方向にスライドできるようになっている。また、下部折畳ボード５９は、図９に示すように、紙Ａの流れ方向に対して平行に下部折畳エッジ６４と、下部折畳ボード５９と上部折畳ボード６０との間に紙Ａが折り畳まれて入れ込まれ易い角度を有する下部折畳エッジ６５とが設けられている。
【００４７】
下部折畳ボード５９は、シート状の紙Ａが下部折畳ボード５９の下側にスムーズに流れるように、図９に示すように、流れ方向の上流に位置する縁部が斜めに折り曲げられた傾斜部５９ａが設けられている。
【００４８】
図６及び図７に示すように、折り板５８ａよりも上側であって折り板５８ａとスリッタ５３ａとの間に第1ロール７０ａが設けられており、折り板５８ａと略同じ高さであって折り板５８ａの後段に第2ロール７１ａが設けられているため、折り板５８ａは、シート状の紙Ａから上側方向に力を受け、折り板５８ａの流れ方向の上流に位置する縁部において摩擦力が大きくなる。このため、紙Ａの材質や薬液等の種類・量によっては、シート状の紙Ａが下部折畳ボード５９の下側にスムーズに流れない場合もあり得る。かかる場合、折り板５８ａに傾斜部５９ａを設けず、代わりに、図１０に示すように、シート状の紙Ａが下部折畳ボード５９の下側にスムーズに流れるように誘導ロール６８を設けてもよい。
【００４９】
上部折畳ボード６０は、下部折畳ボード５９と上部折畳ボード６０との間に紙Ａが下部折畳エッジ６４に沿って折り畳まれて入れ込まれるように下部折畳エッジ６５と協働してガイドの役割を果たす上部折畳エッジ６６が設けられている。この上部折畳エッジ６６は、図８に示すように、下部折畳ボード５９において流れ方向に対して垂直方向にスリッタ間巾の四分の一の巾のところに位置している。
【００５０】
折り板５８ａは、図９に示す紙Ａの流れ方向に下部折畳ボード５９の下側から紙Ａを通し、該紙Ａの縁部を、下部折畳エッジ６５及び上部折畳エッジ６６、又は、誘導ロール及び上部折畳エッジ６６をガイドとして下部折畳ボード５９と上部折畳ボード６０との間に下部折畳エッジ６４に沿って入れ込んで後段へ取り出すと、該縁部が上に折り畳まれて流れ方向に対して平行に後縁重畳部１６ａを形成するように動作する。
【００５１】
折り板５８ｂは、折り板５８ａと同様の構成である。複数台の折り板５８ａと折り板５８ｂとを、図６及び図７に示すように左右対称に、図８に示すように互いの折り板５８ａ，５８ｂによって形成される後縁重畳部１６ａ，前縁重畳部１７ｂが夫々遠ざかる向きにずらした状態で相対するようにシャフト６７ａ，６７ｂを介して配置し固定する。互いの折り板５８ａ，５８ｂのずらし巾は、後段の工程によって形成される相の手組部１５の巾、例えば図８に示すように、スリッタ間巾の二分の一とする。このように配置された複数台の折り板５８ａと折り板５８ｂとによって流れ方向に対して平行に後縁重畳部１６ａ，前縁重畳部１７ｂを形成する上記第１の折り手段及び上記第２の折り手段を構成する。
【００５２】
ここで、図１１乃至図１３を参照して、折り板５８ａ，５８ｂとスリッタ５３ａ，５３ｂとの位置関係について説明する。上述の通り、複数台のスリッタ５３ａは、流れ方向（腰折方向）に対して垂直方向に折り板５８ａと同じ巾で等間隔に配置されているため、折り板５８ａとの位置関係として次の３つのケースがある。
【００５３】
一つ目は、図１１に示すように、折り板５８ａと、隣り合う一組のスリッタ５３ａとが同列に位置するケースである（以下、実施例Ａとする。）。二つ目は、図１２に示すように、折り板５８ａに対して、スリッタ５３ａがＡ方向（図１２参照）にずれたところに位置するケースである（以下、実施例Ｂとする。）。三つ目は、図１３に示すように、折り板５８ａに対して、スリッタ５３ａがＢ方向（図１３参照）にずれたところに位置するケースである（以下、実施例Ｃとする。）。
【００５４】
実施例Ａの場合、図１１に示すように、複数台のスリッタ５３ａを介して流れ方向に切断された紙Ａが流れ方向（腰折方向）に対して垂直方向にずれることなく折り板５８ａに供給される。そして、上述の通り、上部折畳エッジ６６は、下部折畳ボード５９において流れ方向に対して垂直方向にスリッタ間巾の四分の一の巾のところに位置している。このため、該紙Ａにおいて上部折畳エッジ６６に接する部分を折り目としてスリッタ間巾の四分の一の巾を有す後縁重畳部１６ａが形成される。一方、後段へ取り出される紙Ａの巾はスリッタ間巾の四分の三の巾となる。
【００５５】
実施例Ｂの場合、図１２に示すように、複数台のスリッタ５３ａを介して流れ方向に切断された紙ＡがＡ方向にずれた状態で折り板５８ａに供給される。このため、実施例Ａの場合と比べて、折り返し巾は広くなり、後縁重畳部１６ａの巾も広くなる。一方、後段へ取り出される紙Ａの巾は実施例Ａの場合よりも狭くなる。例えば、スリッタ間巾の１／１２の巾だけスリッタ５３ａをＡ方向にずらすとスリッタ間巾の三分の一の巾を有する後縁重畳部１６ａが形成され、後段へ取り出される紙Ａの巾はスリッタ間巾の三分の二の巾となる。
【００５６】
実施例Ｃの場合、図１３に示すように、複数台のスリッタ５３ａを介して流れ方向に切断された紙ＡがＢ方向にずれた状態で折り板５８ａに供給される。このため、実施例Ａの場合と比べて、折り返し巾は狭くなり、後縁重畳部１６ａの巾も狭くなる。一方、後段へ取り出される紙Ａの巾は実施例Ａの場合よりも広くなる。例えば、スリッタ間巾の１／１２の巾だけスリッタ５３ａをＢ方向にずらすとスリッタ間巾の六分の一の巾を有する後縁重畳部１６ａが形成され、後段へ取り出される紙Ａの巾はスリッタ間巾の六分の五の巾となる。
【００５７】
折り板５８ｂ及びスリッタ５３ｂは、図８に示すように折り板５８ａ及びスリッタ５３ａと相対する関係にあるので、折り板５８ｂとスリッタ５３ｂとの位置関係も、折り板５８ａとスリッタ５３ａとの位置関係と同様に３つのケースがある。３つのケースについての実施例は、折り板５８ｂに対して、スリッタ５３ｂをずらす向きを逆にすると上述した実施例Ａ乃至Ｃと同様になる。夫々の上記３つのケースは、スリッタ５３ａ，５３ｂに対して、折り板５８ａ，５８ｂを移動させることによっても実現できる。
【００５８】
次に、折り板５８ａから後段へ取り出される紙Ａと折り板５８ｂから後段へ取り出される紙Ｂとのオーバーラップ巾（後段の工程によって形成される相の手組部１５の巾に相当）について説明する。このオーバーラップ巾は、スリッタ５３ａとスリッタ５３ｂとの位置関係によって決まる。例えば図８に示すように、互いのスリッタ５３ａ，５３ｂのずらし巾をスリッタ間巾の二分の一とした場合、上記オーバーラップ巾は、スリッタ間巾の二分の一となる。この場合、図８に示すように（実施例Ａ）、一組のスリッタ５３ａ，一組のスリッタ５３ｂと、折り板５８ａ，折り板５８ｂとを同列に配置すると、オーバーラップ部１５ａに重ならないようにオーバーラップ部１５ａの前後にスリッタ間巾の四分の一の巾の後縁重畳部１６ａ，前縁重畳部１７ｂを形成することができる。
【００５９】
また、例えば、オーバーラップ巾がスリッタ間巾の三分の一となるようにスリッタ５３ａとスリッタ５３ｂとの位置関係を決めた場合、スリッタ５３ａに対してスリッタ間巾の１／１２の巾だけ折り板５８ａを後方（図８参照）にずらし、スリッタ５３ｂに対してスリッタ間巾の１／１２の巾だけ折り板５８ｂを前方（図８参照）にずらすと、オーバーラップ部１５ａに重ならないようにオーバーラップ部１５ａの前後にスリッタ間巾の三分の一の巾の後縁重畳部１６ａ，前縁重畳部１７ｂを形成することができる。
【００６０】
このように、折り板５８ａ，５８ｂから後段へ取り出される紙Ａ，Ｂにおいて、重畳部の巾を決める要素は折り板５８ａ，５８ｂとスリッタ５３ａ，５３ｂとの位置関係であり、折り板５８ａ，５８ｂ及び／又はスリッタ５３ａ，５３ｂを移動させることにより後縁重畳部１６ａ，前縁重畳部１７ｂの巾を変更することができる。また、折り板５８ａ，５８ｂから後段へ取り出される紙Ａ，Ｂにおいて、オーバーラップ部１５ａの巾を決める要素はスリッタ５３ａとスリッタ５３ｂとの位置関係であり、スリッタ５３ａ及び／又はスリッタ５３ｂを移動させることによりオーバーラップ部１５ａの巾を変更することができる。
【００６１】
ここで、上述の多重腰折紙１の形成装置５１は、スリッタ５３ａ，５３ｂを備えているが、これを備えていない他の実施例について説明する。上述したスリッタ５３ａ，５３ｂを備えている実施例は、原反５２ａ，５２ｂが夫々広い幅を有しており、スリッタ５３ａ，５３ｂによって流れ方向（腰折方向）に沿って複数列に切断して、同時に複数の多重腰折紙１を生産する形成装置５１である。これに対して、原反５２ａ，５２ｂ自体が、製品として指定した縦方向巾に加工されている場合には、スリッタ５３ａ，５３ｂを設けなくても、複数の原反５２ａ，５２ｂの配置の仕方によってスリッタ５３ａ，５３ｂを経て複数列に切断された状態と同じ状態を実現できる。
【００６２】
したがって、スリッタ５３ａ，５３ｂを備えていない実施例は、上述のスリッタ５３ａ，５３ｂを備えている実施例の説明において、スリッタ５３ａ，５３ｂを原反５２ａ，５２ｂに、スリッタ間巾を原反巾に置き換えることで説明できる。すなわち、スリッタ５３ａ，５３ｂを備えていない実施例において、上記後縁重畳部１６ａ，前縁重畳部１７ｂの巾を決める要素は折り板５８ａ，５８ｂと原反５２ａ，５２ｂとの位置関係であり、折り板５８ａ，５８ｂ及び／又は原反５２ａ，５２ｂを移動させることにより後縁重畳部１６ａ，前縁重畳部１７ｂの巾を変更することができる。また、スリッタ５３ａ，５３ｂを備えていない実施例において、上記オーバーラップ部１５ａの巾を決める要素は原反５２ａと原反５２ｂとの位置関係であり、原反５２ａ及び／又は原反５２ｂを移動させることによりオーバーラップ部１５ａの巾を変更することができる。なお、原反５２ａ，５２ｂは夫々複数個でも単数個でもよい。
【００６３】
次に、上記第１の切断手段（下刃ロール５６ａ，上刃ロール８０ａ）及び上記第２の切断手段（下刃ロール５６ｂ，上刃ロール８０ｂ）の構成について説明する。第１の切断手段は、図６に示す下刃ロール５６ａ及び上刃ロール８０ａが、第2ロール７１ａから後段へ取り出される紙Ａを定長に切断して短形紙５４を形成する手段であり、第２の切断手段は、この下刃ロール５６ａ及び上刃ロール８０ａと対称に配された別の下刃ロール５６ｂ及び上刃ロール８０ｂが、上記第2ロール７１ａと対称に配された別の第2ロール７１ｂから後段へ取り出される紙Ｂを定長に切断して短形紙５５を形成する手段である。
【００６４】
上記下刃ロール５６ａ，５６ｂはその周面長を三等分した位置に下刃７５ａ，７５ｂを有し、下刃ロール５６ａの下刃７５ａと下刃ロール５６ｂの下刃７５ｂとは回転角において所定角度、例えば６０度のずれを有する。図６に示す上刃ロール８０ａ，８０ｂは、下刃ロール５６ａ，５６ｂの夫々と相対回転し、上刃７８ａ，７８ｂが下刃７５ａ，７５ｂの夫々と対置する。
【００６５】
また、下刃ロール５６ａ，５６ｂには上記下刃７５ａ，７５ｂの直前に吸引口７６ａ，７６ｂ（図示省略）を設け、切断された短形紙５４，５５の流れ方向側の縁部を吸着しロールから離反しないようにしている。
【００６６】
ここで、図６に示す形成装置５１は、受け渡しロール８２ａ，８２ｂが設けられている。この受け渡しロール８２ａ，８２ｂは、上記下刃ロール５６ａ，５６ｂ及び上刃ロール８０ａ，８０ｂから後段へ取り出される短形紙５４，５５を折り重ねロール８４ａ，８４ｂへ受け渡す役割を果たす。
【００６７】
この受け渡しロール８２ａ，８２ｂは、下刃ロール５６ａ，５６ｂ及び折り重ねロール８４ａ，８４ｂの夫々と相対回転する。受け渡しロール８２ａ，８２ｂには吸引口８３ａ，８３ｂ（図示省略）が設けられ、この吸引口８３ａ，８３ｂにより下刃ロール５６ａ，５６ｂ上の短形紙５４，５５と対峙するタイミングで短形紙５４，５５が吸着されると共に、下刃ロール５６ａ，５６ｂの吸引口７６ａ，７６ｂの吸着が解除されることにより、短形紙５４，５５が下刃ロール５６ａ，５６ｂから受け渡しロール８２ａ，８２ｂへと受け渡される。
【００６８】
そして、折り重ねロール８４ａ，８４ｂの吸引口８５ａ，８５ｂが受け渡しロール８２ａ，８２ｂ上の短形紙５４，５５と対峙するタイミングで短形紙５４，５５が吸着されると共に、受け渡しロール８２ａ，８２ｂの吸引口８３ａ，８３ｂが吸着を解除することにより、短形紙５４，５５が受け渡しロール８２ａ，８２ｂから折り重ねロール８４ａ，８４ｂへと受け渡される。
【００６９】
図７は、この受け渡しロール８２ａ，８２ｂを有していない形成装置５１の他の実施例を示している。この実施例において、下刃付折り重ねロール８７ａ，８７ｂは、上述の受け渡しロール８２ａ，８２ｂを有する実施例における下刃ロール５６ａ，５６ｂの機能と折り重ねロール８４ａ，８４ｂの機能とを併せ持っている。
【００７０】
この受け渡しロール８２ａ，８２ｂを有していない実施例は、上述の受け渡しロール８２ａ，８２ｂを有する実施例と同様に、図７に示す下刃付折り重ねロール８７ａ，８７ｂ及び上刃ロール８０ａによって、第2ロール７１ａから後段へ取り出される紙Ａを定長に切断して短形紙５４を形成する第１の切断手段を構成し、この下刃ロール５６ａ及び上刃ロール８０ａと対称に配された別の下刃付折り重ねロール８７ａ，８７ｂ及び上刃ロール８０ｂによって、上記第2ロール７１ａと対称に配された別の第2ロール７１ｂから後段へ取り出される紙Ｂを定長に切断して短形紙５５を形成する第２の切断手段を構成する。
【００７１】
次に、図６及び図７を参照して、上記短形紙５４と上記短形紙５５とに夫々腰折りを施して右向き腰折紙１１と左向き腰折紙１２とを形成し、上記各右向き腰折紙１１（又は左向き腰折紙１２）の下部折片１１ａ（又は下部折片１２ａ）と、上記各左向き腰折紙１２（又は上記右向き腰折紙１１）の上部折片１２ｂ（又は上部折片１１ｂ）とを相の手に組む手段（折り重ねロール８４ａ，８４ｂ又は下刃付折り重ねロール８７ａ，８７ｂ）の構成について説明する。
【００７２】
上記受け渡しロール８２ａ，８２ｂ又は上記第2ロール７１ａ，７１ｂの各々と相対回転する折り重ねロール８４ａ，８４ｂ又は下刃付折り重ねロール８７ａ，８７ｂを対峙して相対回転するように配することによって、短形紙５４，５５を腰折りする手段と、上記右向き腰折紙１１の下部折片１１ａを左向き腰折紙１２の上部折片１２ｂと相の手に組み、左向き腰折紙１２の下部折片１２ａを右向き腰折紙１１の上部折片１１ｂと相の手に組む手段とを構成する。
【００７３】
図６に示す受け渡しロール８２ａ，８２ｂを有する実施例において、上記折り重ねロール８４ａ及び折り重ねロール８４ｂは互いに等径で、かつ、受け渡しロール８２ａ，８２ｂと等径であり、各折り重ねロール８４ａ，８４ｂの周面長を三等分する位置に紙銜え爪８８ａ，８８ｂを配置している。この紙銜え爪８８ａ，８８ｂは吸引口に置き換えることができる。折り重ねロール８４ａの紙銜え爪８８ａと折り重ねロール８４ｂの紙銜え爪８８ｂとは所定回転角度、例えば６０度位相をずらして配置する。また、折り重ねロール８４ａ，８４ｂにはその周面長を三等分する位置に押込み爪８９ａ，８９ｂを配置する。
【００７４】
図７に示す受け渡しロール８２ａ，８２ｂを有していない実施例において、上記下刃付折り重ねロール８７ａ及び下刃付折り重ねロール８７ｂは互いに等径であり、各下刃付折り重ねロール８７ａ，８７ｂの周面長を三等分する位置に紙銜え爪８８ａ，８８ｂを配置している。この紙銜え爪８８ａ，８８ｂは吸引口に置き換えることができる。下刃付折り重ねロール８７ａの紙銜え爪８８ａと下刃付折り重ねロール８７ｂの紙銜え爪８８ｂとは所定回転角度、例えば６０度位相をずらして配置する。また、下刃付折り重ねロール８７ａ，８７ｂにはその周面長を三等分する位置に押込み爪８９ａ，８９ｂを配置する。
【００７５】
この押込み爪８９ａ，８９ｂは隣接する紙銜え爪８８ａ，８８ｂの中間、即ち紙銜え爪８８ａ，８８ｂと６０度位相をずらして配置する。また、上記紙銜え爪８８ａ，８８ｂと押込み爪８９ａ，８９ｂの中間には吸引口９０ａ，９０ｂ（図示省略）を設ける。
【００７６】
而して、図６に示す受け渡しロール８２ａ，８２ｂを有する実施例において、図１４に示すように、下刃ロール５６ａ及び上刃ロール８０ａ間と、下刃ロール５６ｂ及び上刃ロール８０ｂ間とにおいて形成された短形紙５４，５５は、その流れ方向側の縁部が下刃ロール５６ａ，折り重ねロール８４ａと下刃ロール５６ｂ，折り重ねロール８４ｂとの対向部において、折り重ねロール８４ａ，８４ｂの吸引口９０ａ，９０ｂにより吸着されると共に、受け渡しロール８２ａ，８２ｂの吸引口８３ａ，８３ｂによる吸着が解除されることで、折り重ねロール８４ａ，８４ｂの周面に転送され、折り重ねロール８４ａ，８４ｂ間に導入される。この時、短形紙５４，５５は、その流れ方向とは反対側の縁部が、隣接する別の吸引口９０ａ，９０ｂ（図示省略）によって吸着され、折り重ねロール８４ａ，８４ｂの周面からの離反が防止される。
【００７７】
また、図７に示す受け渡しロール８２ａ，８２ｂを有しない実施例において、下刃付折り重ねロール８７ａ及び上刃ロール８０ａ間と、下刃付折り重ねロール８７ｂ及び上刃ロール８０ｂ間とにおいて形成された短形紙５４，５５は、その流れ方向側の縁部が下刃付折り重ねロール８７ａと下刃付折り重ねロール８７ｂとの対向部において、下刃付折り重ねロール８７ａ，８７ｂの吸引口９０ａ，９０ｂ（図示省略）により吸着されることで、下刃付折り重ねロール８７ａ，８７ｂの周面に転送され、下刃付折り重ねロール８７ａ，８７ｂ間に導入される。この時、短形紙５４，５５は、その流れ方向とは反対側の縁部が、隣接する別の吸引口９０ａ，９０ｂによって吸着され、下刃付折り重ねロール８７ａ，８７ｂの周面からの離反が防止される。
【００７８】
次で、図１５に示すように、折り重ねロール８４ａ，８４ｂ間又は下刃付折り重ねロール８７ａ，８７ｂ間に導入された短形紙５４，５５は、両ロールの対向部間において、上記腰折線Ｓ１（例えば図１参照）が一方のロールの押込み爪８９ａ，８９ｂにより他方のロールの紙銜え爪８８ａ，８８ｂ内へ押し込まれて腰折りが施され、右向き腰折紙１１と左向き腰折紙１２とを形成する。
【００７９】
図１５を参照して詳述すると、折り重ねロール８４ａ，８４ｂ又は下刃付折り重ねロール８７ａ，８７ｂの対向部間に短形紙５４と短形紙５５とを導入した時に、この短形紙５５の下半部（又は短形紙５４の下半部）を先行する短形紙５４の上半部（又は短形紙５５の上半部）の遊離端部に重ね、短形紙５５（又は短形紙５４）の腰折線Ｓ１を紙銜え爪８８ｂ（又は紙銜え爪８８ａ）へ押込んで腰折りを行なうと共に、短形紙５５の下半部（又は短形紙５４の下半部）と短形紙５４の上半部（又は短形紙５５の上半部）とを相の手に重ね組みし、この相の手組み状態を保持しつつ腰折線Ｓ１を紙銜え爪８８ｂ（又は紙銜え爪８８ａ）で銜え込んだまま折り重ねロール８４ａ，８４ｂ又は下刃付折り重ねロール８７ａ，８７ｂの下死点へと移送する。
【００８０】
折り重ねロール８４ａ，８４ｂ又は下刃付折り重ねロール８７ａ，８７ｂの下死点付近に上記相の手組部１５が交互に持ち来たされた時、紙銜え爪８８ａ，８８ｂによる吸着を解除しつつ、第１，第２折畳みレバー９１，９２が上記相の手組部１５に交互に作用して下方へと畳み込む相の手に組み、これらの繰り返しによって上記多重腰折紙１が形成される。
【００８１】
（２）形成装置５１の動作
続いて、多重腰折紙１の形成装置５１の動作の概略について説明する。この形成装置５１は、第１のスリット手段により紙Ａの第１原反（原反５２ａ（図示省略））から第１スリッタ（スリッタ５３ａ）を介してスリットするステップと、第１の折り手段（折り板５８ａ）により上記スリットされた紙Ａの後縁部（又は前縁部）を腰折方向に対して垂直方向に折り返して後縁重畳部１６ａを形成するステップと、第２のスリット手段により紙Ｂの第２原反（原反５２ｂ（図示省略））から第２スリッタ（スリッタ５３ｂ）を介してスリットするステップと、第２の折り手段（折り板５８ｂ）により上記スリットされた紙Ｂの前縁部（又は後縁部）を腰折方向に対して垂直方向に折り返して前縁重畳部１７ｂを形成するステップと、第１の切断手段（下刃ロール５６ａ又は下刃付折り重ねロール８７ａ，上刃ロール８０ａ）により第１の折り手段により後縁重畳部１６ａが形成された紙Ａを第１短形紙（短形紙５４）に切断するステップと、第２の切断手段（下刃ロール５６ｂ又は下刃付折り重ねロール８７ｂ，上刃ロール８０ｂ）により第２の折り手段により前縁重畳部１７ｂが形成された紙Ｂを第２短形紙（短形紙５５）に切断するステップと、上記短形紙５４と上記短形紙５５とに夫々腰折りを施して右向き腰折紙１１と左向き腰折紙１２とを形成するステップと、上記各右向き腰折紙１１（又は左向き腰折紙１２）の下部折片１１ａ（又は下部折片１２ａ）と、上記各左向き腰折紙１２（又は上記右向き腰折紙１１）の上部折片１２ｂ（又は上部折片１１ｂ）とを相の手に組む（折り重ねロール８４ａ，８４ｂ又は下刃付折り重ねロール８７ａ，８７ｂ）ステップとをこの順に実行する。なお、第１，第２原反の巾が製品巾である場合はスリットするステップは不要である。
【００８２】
形成装置５１は、上記ステップを実行するにあたって、上記第１の折り手段及び上記第１のスリット手段の位置と、上記第２の折り手段及び上記第２のスリット手段の位置とは腰折方向に対して垂直方向の上記後縁重畳部１６ａと上記前縁重畳部１７ｂとが遠ざかる向きにずらして配置する。なお、スリットするステップが不要な場合、上記第１の折り手段及び上記第１原反の位置と、上記第２の折り手段及び上記第２原反の位置とを腰折方向に対して垂直方向の上記後縁重畳部１６ａと上記前縁重畳部１７ｂとが遠ざかる向きにずらして配置する。
【００８３】
形成装置５１の動作の上記各ステップについての詳細は、上記ステップの順に説明した各手段の構成の説明と重複するため、ここでの説明を省略する。
【００８４】
（３）形成装置５１の作用
形成装置５１によれば、上記第１の折り手段（折り板５８ａ）及び上記第１原反（原反５２ａ）の位置と上記第２の折り手段（折り板５８ｂ）及び上記第２原反（原反５２ｂ）の位置とを、或いは、上記第１の折り手段（折り板５８ａ）及び上記第１のスリット手段（スリッタ５３ａ）の位置と上記第２の折り手段（折り板５８ｂ）及び上記第２のスリット手段（スリッタ５３ｂ）の位置とを、腰折方向に対して垂直方向の上記後縁重畳部１６ａと上記前縁重畳部１７ｂとが遠ざかる向きにずらしているため、上記各右向き腰折紙１１と上記各左向き腰折紙１２とを腰折方向に対して垂直方向の上記後縁重畳部１６と上記前縁重畳部１７とが遠ざかる向きにずらした構成の多重腰折紙１を量産することができる。この結果、この形成装置５１によって形成される多重腰折紙１は、上記相の手組部１５の面積を縮小できる。例えば、図１６に示す折構造を腰折方向に適用し腰折方向に対して垂直方向へのずらし巾を二分の一とした場合、上記相の手組部１５の面積は各腰折紙１１，１２の面積の四分の一の面積に縮小できる。また、例えば、図１７に示す折構造を腰折方向に適用し腰折方向に対して垂直方向へのずらし巾を二分の一とした場合、上記相の手組部１５の面積は各腰折紙１１，１２の面積の六分の一の面積に縮小できる。
【００８５】
また、この形成装置５１によって形成される多重腰折紙１は、上記各右向き腰折紙１１と上記各左向き腰折紙１２とを腰折方向に対して垂直方向にずらした構成となるため、腰折方向の引張力に対して、最上位の腰折紙１１，１２の下部折片１１ａ，１２ａと下位腰折紙１１，１２の上部折片１１ｂ，１２ｂとの関係では、上記相の手組部１５でのみ摩擦力が作用し、上記前縁重畳部１７又は上記後縁重畳部１７では摩擦力が作用しない。
【００８６】
このため、この形成装置５１によって形成される多重腰折紙１は、最上位の腰折紙１１，１２の上部折片１１ｂ，１２ｂを摘出すると、最上位の腰折紙１１，１２の上記前縁重畳部１７又は上記後縁重畳部１７の下部折片１１ａ，１２ａが順に取り出され、続いて、摩擦力が最も大きくなる対角線方向に上記相の手組部１５の下部折片１１ａ，１２ａが徐々に取り出され、最後に、上記相の手組部１５を形成する最上位の腰折紙の下部折片１１ａ，１２ａの、摩擦力が最も大きくなる対角線方向のコーナー１８が取り出されるように引張力が作用する。この結果、この形成装置５１によって形成される多重腰折紙１は、下位腰折紙１１，１２の上部折片１１ｂ，１２ｂのコーナー１８が容器の取出口から誘出される。
【００８７】
さらに、この形成装置５１によって形成される多重腰折紙１は、上記各右向き腰折紙１１と上記各左向き腰折紙１２とを腰折方向に対して垂直方向の上記後縁重畳部１６と上記前縁重畳部１７とが遠ざかる向きにずらした構成となるため、上記相の手組部１５が多重腰折紙１の中心部に形成される。このため、容器１３の上面部中心に設けられた取出口１３ａから誘出される下位腰折紙１１，１２の上部折片１１ｂ，１２ｂのコーナー１８が取出口１３ａの近傍にくるようにできる。
【００８８】
上記のように、この形成装置５１によって形成される多重腰折紙１は、上記相の手組部１５の面積を従来よりも縮小できることに加えて、下位腰折紙１１，１２の上部折片１１ａ，１２ｂのコーナー１８が取出口１３ａから誘出されるため、多重腰折紙１における各腰折紙１１，１２の上部折片１１ｂ，１２ｂの誘出長を従来よりも効果的に短縮することができる。
【００８９】
また、この形成装置５１によって形成される多重腰折紙１は、多重腰折紙１における各腰折紙１１，１２の上部折片１１ｂ，１２ｂの誘出長を従来よりも効果的に短縮できることに加えて、下位腰折紙１１，１２の上部折片１１ｂ，１２ｂのコーナー１８が容器１３の上面部中心に設けられた取出口１３ａの近傍にくるため、収納されている最上位の腰折紙１１，１２の上部折片１１ｂ，１２ｂを取出口１３ａから容易に摘出でき、摘出された状態にある上記上部折片１１ｂ，１２ｂを容器１３内に収納し易くできる。
【００９０】
また、この形成装置５１は、上記前縁重畳部１７及び上記後縁重畳部１７の折巾を調節することができるため、多重腰折紙１の局部を嵩高にすることなく上記各右向き腰折紙１１と上記各左向き腰折紙１２とのずらし巾を変更することができる。
【００９１】
したがって、実用上、腰折紙１１，１２の材質や薬液等の種類・量に応じて上記相の手組部１５の寸法を大きく変更することができる。
【００９２】
なお、本発明は上述した実施の形態のみに限定されるものではなく、本発明の要旨を逸脱しない範囲において種々の変更が可能であることは勿論である。例えば、前縁重畳部１７及び後縁重畳部１７における折向きは上向き又は下向きの何れでもよい。
【図面の簡単な説明】
【００９３】
【図１】本発明によって生産される第１実施例に係る多重腰折紙の折構造の説明に供する図である。
【図２Ａ】本発明によって生産される多重腰折紙の第１実施例であり、各腰折紙を容器内に収容した状態を以て示す概略平面断面図である。
【図２Ｂ】本発明によって生産される多重腰折紙の第１実施例であり、各腰折紙を容器内に収容した状態を以て示す概略正面断面図である。
【図２Ｃ】本発明によって生産される多重腰折紙の第１実施例であり、各腰折紙を容器内に収容した状態を以て示す概略側面断面図である。
【図３】本発明によって生産される多重腰折紙の第１実施例における各腰折紙の展開図を示す平面図である。
【図４】本発明によって生産される多重腰折紙の第２実施例における各腰折紙の展開図を示す平面図である。
【図５】本発明によって生産される多重腰折紙の第３実施例における各腰折紙の展開図を示す平面図である。
【図６】本発明の一実施形態を示す多重腰折紙形成装置の主要部の側面図である。
【図７】本発明に係る多重腰折紙形成装置の他の実施例であり、同装置の主要部の側面図である。
【図８】本発明の一実施形態を示す多重腰折紙形成装置おいて、各折り板の位置関係を示す図である。
【図９】本発明に係る多重腰折紙形成装置の折り板の一実施形態を示す図である。
【図１０】本発明に係る多重腰折紙形成装置の折り板の他の実施形態を示す側面図である。
【図１１】折り板とスリッタとの位置関係を示す図であって、実施例Ａの説明に供する図である。
【図１２】折り板とスリッタとの位置関係を示す図であって、実施例Ｂの説明に供する図である。
【図１３】折り板とスリッタとの位置関係を示す図であって、実施例Ｃの説明に供する図である。
【図１４】本発明の一実施形態を示す多重腰折紙形成装置の主要部の側面図であって、多重腰折紙形成装置の動作の説明に供する図である。
【図１５】本発明の一実施形態を示す多重腰折紙形成装置の図１４に続く動作の説明に供する図である。
【図１６】第１従来例であり、多重腰折紙を容器内に収容した状態を以て示す概略断面図である。
【図１７】第２従来例であり、多重腰折紙を容器内に収容した状態を以て示す概略断面図である。
【図１８Ａ】第３従来例であり、多重腰折紙を容器内に収容した状態を以て示す概略断面図である。
【図１８Ｂ】第３従来例であり、この例における多重腰折紙の局部嵩高状態を示す側面図である。
【図１９Ａ】第４従来例であり、多重腰折紙を容器内に収容した状態を以て示す概略断面図である。
【図１９Ｂ】第４従来例であり、この例における多重腰折紙の局部嵩高状態を示す側面図である。
【図２０】第５従来例であり、多重腰折紙を容器内に収容した状態を以て示す概略断面図である。
【図２１】第６従来例であり、多重腰折ウェットティシューを容器内に収容した状態を以て示す概略断面図である。
【符号の説明】
【００９４】
１  多重腰折紙、１１  右向き腰折紙、１１ａ  下部折片、１１ｂ  下部折片、１１ｃ  後縁部、１１ｄ  前縁部、１１ｅ  組部下部折片、１１ｆ  組部上部折片、１２  左向き腰折紙、１２ａ  下部折片、１２ａ  上部折片、１２ｂ  上部折片、１２ｃ  後縁部、１２ｄ  前縁部、１２ｅ  組部下部折片、１２ｆ  組部上部折片、１３  容器、１３ａ  取出口、１５  相の手組部、１５ａ  オーバーラップ部、１６  後縁重畳部、１６ａ  後縁重畳部、１７  前縁重畳部、１７ｂ  前縁重畳部、１８  コーナー、５１  形成装置、５２ａ  原反、５２ｂ  原反、５３ａ  スリッタ、５３ｂ  スリッタ、５４  短形紙、５５  短形紙、５６ａ  下刃ロール、５６ｂ  下刃ロール、５８ａ  折り板、５８ｂ  折り板、５９  下部折畳ボード、５９ａ  傾斜部、６０  上部折畳ボード、６２  下部折畳ボード可動機構、６３  上部折畳ボード可動機構、６４  下部折畳エッジ、６５  下部折畳エッジ、６６  上部折畳エッジ、６７ａ  シャフト、６７ｂ  シャフト、６８  誘導ロール、７０ａ  第１ロール、７０ｂ  第１ロール、７１ａ  第２ロール、７１ｂ  第２ロール、７５ａ  下刃、７５ｂ  下刃、７６ａ  吸引口、７６ｂ  吸引口、７８ａ  上刃、７８ｂ  上刃、８０ａ  上刃ロール、８０ｂ  上刃ロール、８２ａ  受け渡しロール、８２ｂ  受け渡しロール、８３ａ  吸引口、８３ｂ  吸引口、８４ａ  折り重ねロール、８４ｂ  折り重ねロール、８５ａ  吸引口、８５ｂ  吸引口、８７ａ  下刃付折り重ねロール、８７ａ  下刃付折り重ねロール、８８ａ  紙銜え爪、８８ｂ  紙銜え爪、８９ａ  押込み爪、８９ｂ  押込み爪、９１  レバー、９２  レバー
【要約】
【課題】各腰折紙の上部折片の誘出長を短縮するとともに、上部折片を取出口から容易に摘出・収納でき、相の手組部の寸法を大きく変更できる多重腰折紙の形成装置を提供する。
【解決手段】スリッタ５３ａの後段であって下刃ロール５６ａ（又は下刃付折り重ねロール８７ａ）の前段に位置し、紙Ａの後縁部を腰折方向に対して垂直方向に折り返して後縁重畳部１６ａを形成する折り板５８ａと、スリッタ５３ｂの後段であって下刃ロール５６ｂ（又は下刃付折り重ねロール８７ｂ）の前段に位置し、紙Ｂの前縁部を腰折方向に対して垂直方向に折り返して前縁重畳部１７ｂを形成する折り板５８ｂとを備え、折り板５８ａ、及びスリッタ５３ａ（又は原反５２ａ）の位置と、折り板５８ｂ、及びスリッタ５３ｂ（又は原反５２ｂ）の位置とを腰折方向に対して垂直方向の後縁重畳部１６ａと前縁重畳部１７ｂとが遠ざかる向きにずらした構成とする。
【選択図】図６【図１】
0004201283.tif 000002
【図２Ａ】
0004201283.tif 000003
【図２Ｂ】
0004201283.tif 000004
【図２Ｃ】
0004201283.tif 000005
【図３】
0004201283.tif 000006
【図４】
0004201283.tif 000007
【図５】
0004201283.tif 000008
【図６】
0004201283.tif 000009
【図７】
0004201283.tif 000010
【図８】
0004201283.tif 000011
【図９】
0004201283.tif 000012
【図１０】
0004201283.tif 000013
【図１１】
0004201283.tif 000014
【図１２】
0004201283.tif 000015
【図１３】
0004201283.tif 000016
【図１４】
0004201283.tif 000017
【図１５】
0004201283.tif 000018
【図１６】
0004201283.tif 000019
【図１７】
0004201283.tif 000020
【図１８Ａ】
0004201283.tif 000021
【図１８Ｂ】
0004201283.tif 000022
【図１９Ａ】
0004201283.tif 000023
【図１９Ｂ】
0004201283.tif 000024
【図２０】
0004201283.tif 000025
【図２１】
0004201283.tif 000026